(57)【要約】本発明は、性能および音色を改善し、構造を単純化するためのコーム内に取り付けられた１つまたは複数の逆止め弁（１９’、２１’）を備えるハーモニカ用のコームに関する。様々な構成部品間の空気損失が大いに減少され、逆止め弁が、リードの極めて近傍から除去され、それによって、リードとの干渉が減少し、性能が向上し、倍音の共振が増加する。                                                
2004521386.tif 000002
【特許請求の範囲】
【請求項１】
細長いほぼ矩形の本体（１２）と、前記本体（１２）の前側面の中央の長手方向軸に沿って長手方向に離隔された、前記本体（１２）の前側面のほうへ開き、前記本体（１２）の背面で閉じている複数の別個のバルブセル（４９）と、前記頂部隣接側面に沿って長手方向に離隔され、前記バルブセル（４９）と整列され、その底部がブローバルブプラットホーム（３９）を備える、複数の別個のブローリード／ブローエネブラリードセル（４７）であって、前記ブローバルブプラットホームがまた、前記バルブセル（４９）の天井を備えるブローリード／ブローエネブラリードセル（４７）と、前記底部隣接側面に沿って長手方向に離隔され、前記バルブセル（４９）と整列され、その頂部がドローバルブプラットホーム（４０）を備える、複数の個別のドローリード／ドローエネブラリードセル（４８）であって、前記ドローバルブプラットホームがまた、前記バルブセル（４９）の床を備えるドローリード／ドローエネブラリードセル（４８）と、前記バルブセル（４９）のそれぞれの前記天井に形成され、前記バルブセル（４９）のそれぞれと前記ブローリード／ブローエネブラリードセル（４７）のそれぞれとの間に開いた通路を形成している、ブローリード／ブローエネブラリードバルブスロット（２３’）と、前記バルブセル（４９）のそれぞれの前記床に形成され、前記バルブセル（４９）のそれぞれと前記ドローリード／ドローエネブラリードセル（４８）のそれぞれとの間に開いた通路を形成しているドローリード／ドローエネブラリードバルブスロット（２５’）とを備える、ハーモニカコームであって、
ブローリード／ブローエネブラリードバルブ（１９’）が、前記ブローリード／ブローエネブラリードセル（４７）のそれぞれの中に配置されると共に、前記ブローリード／ブローエネブラリードバルブスロット（２３’）を覆って位置調整され、前記ブローリード／ブローエネブラリードバルブ（４７）が、前記ブローバルブプラットホーム（３９）の一方の端部に固定され、前記ブローリード／ブローエネブラリードバルブ（１９’）がその反対側の端部で移動が自由であり、
ドローリード／ドローエネブラリードバルブ（２１’）が、前記バルブセル（４９）のそれぞれの中に配置されると共に、ドローリード／ドローエネブラリードバルブスロット（２５’）を覆って位置調整され、前記ドローリード／ドローエネブラリードバルブ（２１’）が前記バルブセル（４９）の前記床の一方の端部に固定され、前記ドローリード／ドローエネブラリードバルブ（２１’）がその反対端部で移動が自由であることを特徴とする、ハーモニカコーム。
【請求項２】
前記細長い本体（１２）が、通常木で製造されている、またはプラスチックで成形されていることを特徴とする、請求項１に記載のハーモニカコーム。
【請求項３】
前記本体（１２）が、半体を気密嵌合のためにねじで互いに固定することができるような、特定の弾性を有するプラスチックで製造された頂部半体および底部半体を有することを特徴とする、請求項２に記載のハーモニカコーム。
【請求項４】
前記本体（１２）が、接着剤で互いに固定された頂部半体と底部半体とを有することを特徴とする、請求項２に記載のハーモニカコーム。
【請求項５】
前記ブローリード／ブローエネブラリードバルブ（１９’）および前記ドローリード／ドローエネブラリードバルブ（２１’）が、通常ＰＶＣなどのプラスチックで製造されていることを特徴とする、請求項１乃至４のうちいずれか一項に記載のハーモニカコーム。
【請求項６】
前記前側面の高さが、前記背面の高さよりも低く、前記前側面を演奏者の口により快適に嵌合することを可能にすることを特徴とする、請求項１乃至５のうちいずれか一項に記載のハーモニカコーム。
【請求項７】
前記ブローリード／ブローエネブラリードセルの開端部を閉じる、前記頂部隣接側面に固定されたブロープレートと、前記ドローリード／ドローエネブラリードセルの開端部を閉じる、前記底部隣接側面に固定されたドロープレートと、前記ブロープレートに固定された頂部カバーと、前記ドロープレートに固定された底部カバーと、前記ハーモニカコームの前側面に固定されたマウスピースとを備える、請求項１のハーモニカコームを使用して作成されたことを特徴とする、ハーモニカ。
【請求項８】
前記ブロープレートが、ブローリード、ブローリードとブローエネブラリード、または２つのブローリードを含むことを特徴とする、請求項７に記載のハーモニカ。
【請求項９】
前記ドロープレートが、ドローリード、ドローリードとドローエネブラリード、または２つのドローリードを含むことを特徴とする請求項７または８に記載のハーモニカ。
【請求項１０】
頂部半体の底部側面上の複数の上側チャネルと、前記頂部半体の頂部側面上の複数のセルとを含むコームの頂部半体を成形するステップであって、前記上側チャネルが、前記頂部半体の前部側面のほうへ開いており、前記頂部半体の背面で閉じており、前記上側チャネルおよび前記セルが、前記頂部半体に沿って長手方向に離隔され、前記上側チャネルのそれぞれが前記セルのうちの１つと整列され、前記セルの底部および前記上側チャネルの頂部が、したがって共通の壁面を共有し、前記共通の壁面が、その中に形成された開口またはブローリード／ブローエネブラリードスロットを備えるステップと、
逆止め弁またはブローリード／ブローエネブラリードバルブを、一方の端部で前記共通の壁面内の前記ブローリード／ブローエネブラリードスロットを覆って位置調整された前記セルのそれぞれの前記共通の壁面に固定するステップと、
前記底部半体の頂部側面上の複数の下側チャネルと、前記底部半体の底部側面上の複数のセルとを含むコームの底部半体を成形するステップであって、前記下側チャネルが、前記底部半体の前部側面のほうへ開いており、前記底部半体の背面で閉じており、前記下側チャネルおよび前記セルが、前記底部半体に沿って長手方向に離隔され、前記下側チャネルのそれぞれが、前記セルの一方と整列しており、したがって、前記セルの頂部および前記下側チャネルの底部が共通の壁面を共有し、前記共通の壁面が、その中に形成された開口またはドローリード／ドローエネブラリードスロットを備えるステップと、
逆止め弁またはドローリード／ドローエネブラリードバルブを一方の端部で前記下側チャネルのそれぞれの中の前記共通の壁面に固定し、前記下側チャネルのそれぞれの中の前記ドローリード／ドローエネブラリードバルブが、前記下側チャネル内の前記ドローリード／ドローエネブラリードスロット内に配置されるステップと、
前記頂部半体および前記底部半体をともに前記頂部半体の前記上側チャネルおよび前記底部半体の前記下側チャネルと整列させて気密な接続で固定するステップとを含むことを特徴とする、ハーモニカコームを製造する方法。
【発明の詳細な説明】
【技術分野】
【０００１】
本発明は、ハーモニカまたはマウスオルガン、特にハーモニカのコーム内に逆止め弁を配置することに関する。
【背景技術】
【０００２】
逆止め弁、すなわちリードバルブは、性能を改善するためにハーモニカのリードセル内で一般的に使用されている。リードバルブは、通常ハーモニカ内の空気の流れを制御するために設置されている。リードバルブは、吹気動作のリードすなわちブローリードが固定されているリードスロットの外側面に取り付けたとき、同じマウスピース開口に付随している吸気動作リードすなわちドローリードが演奏されているとき吸入された空気がブローリードの側を通過するのを防止する働きをする。同様に、リードバルブは、ドローリードが固定されているリードスロットの反対側面に取り付けられたとき、同じマウスピース開口に付随しているブローリードが演奏されているとき吹気された空気がドローリードの側を通過するのを防止する働きをする。低ピッチおよび中間レンジのリードについては、リードバルブによってもたらされる空気の損失を減少させる効果は、リードの近傍の負の効果に勝っている。しかし、高ピッチリードの比較的小さい、制限されたリードスロットを通過するのを妨げられる空気の量は、かなりの量ではあるが、リードバルブの負の近接効果に勝るのに十分でない可能性がある。このため、リードバルブは、リードバルブを組み込んだハーモニカの最高音のリードから通常除外される。
【０００３】
米国特許第５３６７９３７号明細書（ＵＳ−Ａ−５  ３６７  ９３）から、ハーモニカのリードセルから分離された１つまたは複数のバルブセルを使用することが知られている。逆止め弁が、リードプレートおよびリードの外部に取り付けられている。口の外に配置された、各マウスピース開口に付随している２つのバルブセル、リードセルおよびリードプレートを設けることができる。空気がハーモニカ内に吹気されると、ブローバルブセルおよびブローバルブが、吸気された空気がブローリードおよびブローエネブラリードを通って流れることができるようにする一方、それと同時に、ブローバルブセルおよびブローバルブが、吸気された空気流がブローリードおよびブローエネブラリードを通過するのを防止する。
【０００４】
ハーモニカのこの公知の設計は、３つの別個の本体を２つのリードプレートと組み立てることを必要とする。これら３つの本体、コーム、ブロープラットホームおよびドロープラットホームは、本質的に３つの別個の本体である。このハーモニカを、コームを有するがバルブプラットホームを有しないハーモニカと比較すると、この設計は、加工費、および組立て費の両方において、生産するのが比較的高価であることになる。また、コーム、ブロープラットホーム、ドロープラットホームおよび各リードプレートの間の４つの接合面が、空気損失の影響を受けやすいかなりの領域を生み出す。コームと２つのリードプレートの間の２つの接合面しか有しない標準的なハーモニカは、このハーモニカよりもかなり空気損失の影響を受けにくい。既存の４つの接合面のいずれかを通るこのような空気損失は、音量および演奏を減少させる結果となる。リードと外気の間に外部バルブセルを配置することもまた、ビブラートリードの倍音の振幅を減少させる。演奏者が、その手を丸めてハーモニカを覆うことによって、必要に応じてビブラートリードの倍音の振幅を減少させることができるため、共振倍音を生成するハーモニカは、共振倍音を欠くハーモニカよりも一般的に好ましい。
【０００５】
リードと外気との間に配置された逆止め弁を有するハーモニカの欠点は、次のようである。
（ａ）標準的なクロマチックハーモニカおよび標準的な倍音ハーモニカでリードバルブとリードが極めて近接していることによって、特に高ピッチリードで音量および共振が減少する。
【０００６】
（ｂ）外部バルブセルを組み込んだハーモニカは、１つではなく３つのコームを必要とし、外部バルブセルがない、１つのコームを有するハーモニカと比較して生産するのに費用がかかることがある。
（ｃ）外部バルブセルを組み込んだハーモニカは、外部バルブセルのないハーモニカと比較して高い空気損失を受ける。
【０００７】
（ｄ）外部バルブセルを組み込んだハーモニカは、外部バルブセルのないハーモニカと比較して、共振倍音で不完全な音色を生成する。
米国特許第５３６７９３７号明細書（ＵＳ−Ａ−５  ３６７  ９３７）は、バルブプラットホームに取り付けられた逆止め弁を使用し、それによって、音域および音量を改善するために、それぞれの中央セルに付随している２つのタイプのバルブセル、すなわち、ハーモニカのコームおよびリードプレートの外部のバルブセルを作成する。第１のセットのバルブセル、ブローバルブセルは、空気がハーモニカ内に吹入されるとき駆動されるバルブを含む。第２のセットのバルブセル、ドローバルブセルは、空気がハーモニカから吸出されるときに駆動されるバルブを含む。
【発明の開示】
【発明が解決しようとする課題】
【０００８】
改良された性能および音色と単純化された構造を有するハーモニカコームを提供することが、本発明の目的である。
【課題を解決するための手段】
【０００９】
この目的は、請求項１によって解決される。
それによると、逆止め弁が、マウスとリードの間に配置されたスロットを覆って取り付けられ、それによって、内部バルブセル、すなわちコーム内のバルブセルを形成し、性能および音色のさらなる改善を提供している。２つの外部バルブセルの代わりに単体の内部バルブセルを採用することは、機密性能を改善し、全てのリードを振動が外気と直接接触するコームの外側に配置することを可能にし、構成部品の必要数を減少させることによって構造を単純化する。
【００１０】
したがって、いくつかの利点が達成される。
（ａ）標準的なクロマチックおよびダイアトニックハーモニカのリードバルブの負の音色の影響が、リードバルブをリードの極めて近傍から除去することによって低減される。
（ｂ）バルブセルを組み込んだハーモニカの製造コストが低下する。
（ｃ）バルブセルを組み込んだハーモニカ内の空気損失の量が減少する。
（ｄ）バルブセルを組み込んだハーモニカ内の倍音の共振が増加する。
【００１１】
本発明のさらなる実施形態を以下の説明および頭記の請求項で説明する。
【発明を実施するための最良の形態】
【００１２】
最終アセンブリにあるときの一般的なテンセルハーモニカを示す図１で、２部式コームが互い接合されている。接合されたコーム部片は、前側面６０、上部隣接側面６１、低部隣接側面６２、背面（図１に図示せず）、低ピッチ端部６４および高ピッチ端部６５を備えるほぼ矩形のコーム本体１２を形成している。コーム１２の厚さは、通常前部６０から背部のほうが上部６１から底部６２よりも厚い。上部部片１０と下部部片１１が接合された後、バルブセル４９が、コームの長手方向本体に沿って中央に作成される。バルブセル４９は、コーム１２に沿ってある間隔を空けて示されたセル壁群３７によって分割されている。コームの上部部片１０の長手方向部分は、コーム１２内のブローバルブプラットホーム３９を形成している。上部セル壁面延長部６６は、コームの隣接する側面に沿って離隔されたブローリード／ブローエネブラリードセル４７を作成し、各ブローリード／ブローエネブラリードセル４７は、ブローバルブプラットホーム３９の一部を共有している。ブローリード／ブローエネブラリードバルブスロット２３’は、ブローバルブプラットホーム３９内の開口であり、空気用の通路が各バルブセル４９とそれに付随するブローリード／ブローエネブラリードセル４７の間を流れることを許している。ブローリード／ブローエネブラリードバルブ１９’は、その端部の一方で、各ブローブローリード／ブローエネブラリードバルブスロット２３’に固定される。ブローバルブプラットホーム３９’上でのブローリード／ブローエネブラリードバルブ１９’の位置調整は、したがって、コーム１２内のバルブを移動させ、それによって本発明を従来技術から特徴付ける。ブローリード／ブローエネブラリードリードバルブ１９’のこの位置調整は、バルブのブローリードからの分離を提供する。バルブは、上部隣接側面６１上のコーム１２の外側のリードプレート（図１に示す）上に取り付けられ、それによって、従来技術のリードバルブの負の音色の影響を低減し、倍音の共振を増加させる。ブローリード／ブローエネブラリードバルブ１９’をコーム内に位置決めすることによって、バルブを有する従来技術のハーモニカよりも必要な部品が少なく、それによって構成部品間の空気損失がより少ないという追加の利点を提供し、製造コストを低下させる。
【００１３】
コームの下部部片１１の長手方向部分は、コーム１２内のドローバルブプラットホーム４０を形成している。セル壁面延長部６７は、コーム１２の底部隣接側面６２に沿って離隔されたドローリード／ドローエネブラリードセル４８を作成している。各ドローリード／ドローエネブラリードセル４８は、ドローバルブプラットホーム４０の一部を共有している。ドローリード／ドローエネブラリードバルブスロット２５’は、空気が各バルブセル４９とそれに付随するドローリード／ドローエネブラリードセル４８の間を流れるための通路を許すドローバルブプラットホーム４０内の開口である。ドローリード／ドローエネブラリードバルブ２１’は、その端部の一方で各ドローリード／ドローエネブラリードバルブスロット２５’に固定される。ドローバルブプラットホーム４０上でのドローリード／ドローエネブラリードバルブ２１’の位置調整は、したがって、コーム１２内のバルブを移動させる。それによって本発明は従来技術から特徴付けられている。このドローリード／ドローエネブラリードバルブ２１’の位置調整は、底部隣接側面６２の上のコーム１２の外部のリードプレート（図１では図示せず）に取り付けられる、バルブのドローリードからの分離を提供し、それによって、従来技術のハーモニカのリードバルブの負の全体効果を低減させ、倍音の共振を増加させる。ドローリード／ドローエネブラリードバルブ２１’をコーム内で位置調整することによって、バルブセルを有する従来技術のハーモニカよりも少ない構成部品を必要とし、それによって、構成部品間の空気損失が少ないという追加の利点を提供し、製造コストを低下させる。
【００１４】
上部コーム部片１０および下部コーム部片１１は、通常、木またはプラスチックで製造されている。コーム構造に使用されている典型的なプラスチックは、ＡＢＳである。ＡＢＳの弾性は、２つの部片がねじ（図１では図示せず）によって互いに固定され、それによって気密な継手を形成するように指定することができる。別法として、部片を接着剤またはその他の一般的に周知の手段によって固定することができる。
【００１５】
ブローリード／ブローエネブラリードバルブ１９’およびドローリード／ドローエネブラリードバルブ２１’は、通常、マイラー、ＰＶＣまたは任意の薄い弾力性の非透過材料のプラスチックで製造される。
図２は、図１の平面２−２によって示したコーム１２の断面図であり、最初の３つのセル、すなわちハーモニカコーム１２の最も低いピッチのリードのためのセルの約半分を示し、それに取り付けられたリードプレートを示す図である。コーム上側部片１０と下側部片１１の間の分岐を示す分離線７０が示されている。コーム１２の上側部片１０は、その中心にバルブセル４９を有し、コームの一体型のブローバルブプラットホーム３９は、バルブセル４９のための天井を形成している。コーム１２の下側部片１１は、バルブセル４９のための床を形成している一体型のドローバルブプラットホーム４０を備える。図２のように接合されたとき、コームの上側部片１０と下側部片１１は、セル壁面３７とともに、コーム１２の中央部分にバルブセル４９を形成する。セル壁面６６の頂部延長部およびブローバルブプラットホーム３９は、ブローリード／ブローエネブラリードセル４７を作成する。コーム１２の上側部片１０の最上部隣接側面６１は、ブローリード／ブローエネブラリードプレート９と気密嵌合で固定されている。セル壁面６７の底部延長部とドローバルブプラットホーム４０は、ドローリード／ドローエネブラリードセル４８を作成している。コーム１２の下側部片１１の底部隣接側面６２は、ドローリード／ドローエネブラリードプレート８気密嵌合で固定されている。
【００１６】
図２はさらに、ブローバルブプラットホーム３９内に形成されたブローリード／ブローエネブラリードバルブスロット２３’を示している。ブローリード／ブローエネブラリードバルブスロット２３’は、バルブセル４９とブローリード／ブローエネブラリードセル４７の間の空気通路を提供する。ブローバルブプラットホーム３９の上側面に、ブローリード／ブローエネブラリードバルブ１９’が取り付けられており、ブローリード／ブローエネブラリードバルブ１９は、接着線３６’によって示した一方の端部がブローバルブプラットホーム３９に取り付けられ、その反対側の端部が自由である。ブローリード／ブローエネブラリードプレート９は、コーム１２の頂部隣接側面６１に固定され、一方の端部にリベット１７によって固定されたブローリード１８を備える。
【００１７】
図２の下側部分は、ドローリード／ドローエネブラリードバルブ２１’を示している。ドローバルブプラットホーム４０の上側面、ドローリード／ドローエネブラリードバルブスロット（図２では図示せず）のすぐ上方に、ドローリード／ドローエネブラリードバルブ２１’が取り付けられ、ドローリード／ドローエネブラリードバルブ２１’は、コーム３６’によって示す一方の端部が、ドローバルブプラットホーム４０に取り付けられ、一方の端部が自由である。ドローリード／ドローエネブラリードプレート８は、コーム１２の底部隣接側面６２に固定され、一方の端部にリベット１７によって固定されたドローリード２０を備える。
【００１８】
空気が、図２に示すバルブセル４９のマウスピース開口３８内に吹き込まれると、ブローリード／ブローエネブラリードバルブ１９’が、バルブセル４９内の高い圧力に応答して開放し、ドローリード／ドローエネブラリードバルブ２１’は閉鎖したままに保持される。ブローリード／ブローエネブラリードバルブスロット２３’および開いたブローリード／ブローエネブラリードバルブ１９’を通過する空気は、ブローリード／ブローエネブラリードセル４７内を通過し、次にブローリード１８を通って、ブローリード１８を振動させ、音楽的な音色を作成する。図２には示されていないが、ブローエネブラリードをブローリード／ブローエネブラリードプレート９に取り付けることができ、このブローエネブラリードは、ハーモニカ演奏者が空気を吹き込み、彼の口および喉を音色の変化に適した共振周波数に調節することに応答して、振動を生じさせることができる。
【００１９】
図３は、図１の平面３−３によって示したコーム１２の断面図であり、最後の３つのセル、すなわちハーモニカコーム１２の最も高いピッチのリードのためのセルの約半分を示し、それに取り付けられたリードプレートを示す図である。バルブセル４９が、ブローバルブプラットホーム３９とドローバルブプラットホーム４０の間に配置されている。ドローリード／ドローエネブラリードバルブスロット２５’は、バルブセル４９とドローリード／ドローエネブラリードセル４８の間の空気通路を形成している。可撓性のドローリード／ドローエネブラリードバルブ２１’が、接着線３６’でドローバルブプラットホーム４０上側表面に固定されている。
【００２０】
空気が、図３に示すバルブセル４９のマウスピース開口３８から引き込まれると、ドローリード／ドローエネブラリードバルブ２１’がバルブセル４９内の低い圧力に応答して開放し、ブローリード／ブローエネブラリードバルブ１９は、閉鎖したままに保持される。ドローリード／ドローエネブラリードバルブスロット２５’および開いたドローリード／ドローエネブラリードバルブ２１’を通過する空気は、ドローリード／ドローエネブラリードセル４８から排気され、それによってドローリード２０を通る空気を外側へ押しやり、ドローリード２０を振動させ、音楽的な音色を作成する。図３には示されていないが、ドローエネブラリードをドローリード／ドローエネブラリードプレートに取り付けることができ、このドローエネブラリードは、ハーモニカ演奏者が空気を吸い込み、彼の口および喉を音色の変化に適した共振周波数に調節することに応答して、振動を生じさせることができる。
【００２１】
図４は、図１の平面４−４によって示した、図１のハーモニカコームの上側部片１０の透視図である。上側部片１０は、通常、木から加工される、またはプラスチックから成形される。上側部片１０は、前部側面６０、頂部隣接側面６１、後部側面６３、および図４の左側の低ピッチ端部６４と、図４の右側の高ピッチ端部６５とを有する２つの端部とを備える細長いほぼ矩形の本体である。１連のブローリード／ブローエネブラリードセル４７が、頂部隣接側面６１内に成形されている。各ブローリード／ブローエネブラリードセル４７は、各セルの底部にブローバルブプラットホーム３９を備える。ブローリード／ブローエネブラリードバルブスロット２３’は、各ブローリード／ブローエネブラリードセル４７の底部に配置されたブローバルブプラットホーム３９を通って形成されている。ブローリード／ブローエネブラリードバルブ１９’は、各ブローリード／ブローエネブラリードバルブスロット２３’の上方に配置され、一方の端部がブローバルブプラットホーム３９に固定され、他方の端部は固定されず、移動が自由である。１連のセル壁面３７が、コームの上側部片１０の下側表面に沿って離隔されている。壁面３７の各対は、前側面６０のほうへ開き、背部が閉じている、上側チャネル８０を画定している。のちに上側部片１０が下側部片１１（図４では図示せず）と整列され、固定されるとき、上側部片１０の上側チャネル８０および下側部片１１の下側チャネル８１（図４では図示せず）が結合してバルブセルを形成する。
【００２２】
図５は図１の平面５−５で示す、図１のハーモニカコームの下側部片１１の透視図である。下側部片１１は、通常、木から加工される、またはプラスチックから成形される。下側部片１１は、前部側面６０、頂部隣接側面６１、後部側面６３、および図５の左側の低ピッチ端部６４と、図５の右側の高ピッチ端部６４とを有する２つの端部とを備える細長いほぼ矩形の本体である。１連のドローリード／ドローエネブラリードセル４８が、底部隣接側面６２（図５では図示せず）内に成形され、１連の下側チャネル８１が、下側部片の頂部内に成形されている。ドローバルブプラットホーム４０が、各下側チャネル８１の底部に備えられている。ドローリード／ドローエネブラリードバルブスロット２５’が、下側チャネル８１の底部に配置されたドローバルブプラットホーム４０を通って形成されている。ドローリード／ドローエネブラリードバルブ２１’は各ドローリード／ドローエネブラリードバルブスロット２５’の上方に位置調整され、一方の端部がドローバルブプラットホーム４０に固定され、他方の端部は固定されず、移動が自由である。１連のセル壁面３７が、コームの下側部片１１の上側表面に沿って離隔されている。セル壁面３７の各対は、前側面６０のほうへ開き、背部が閉じている、下側チャネル８１を画定している。のちに下側部片１１が上側部片１０（図５では図示せず）と整列され、固定されるとき、上側部片１０の上側チャネル８０および下側部片１１の下側チャネル８１が結合してバルブセルを形成する。
【００２３】
図１、２、３、４および５は、各リードセルに隣接する２つのリードと、各マウスピース開口に付随している４つのリードを有するように設計された、好ましい実施形態を示している。この実施形態は、ベンディングハーモニカならびに倍音およびトレモロハーモニカに適している。
第２の実施形態は、各リードセルに隣接する１つのリードと、４つのリードセルと、各マウスピース開口に付随している４つのリードとを有する。これら４つのリードのうちの２つをブローリード、他の２つがドローリードにすることができる。この第２の実施形態は、クロマチックハーモニカに組み込むことができ、同じマウスピース開口に付随している他の２つのリードを遮蔽しながら、１つのブローリードと１つのドローリードを選択することを可能にするクロマチックハーモニカスタイルのスライド装置の追加を含むことができる。第２の実施形態は、内部バルブセルの音色上の利点を提供し、リードプレートに取り付けられた標準的なリードバルブによって作成される欠点なしで、最高ピッチのセルのものを含めて、リードバルブをリードごとに付随させて使用することを可能にするであろう。
【００２４】
第３の実施形態は、各リードセルに隣接した１つのリードと、２つのリードセルと、各マウスピース開口に付随した２つのリードとを有する。この実施形態は、組み込むことができる。標準的な全音階ハーモニカに組み込むことができ、リードプレートに取り付けられた標準的なリードバルブによって作成される欠点のない、内部バルブセルおよびリードバルブを備えるハーモニカの利点を提供する。
【００２５】
したがって、本発明のハーモニカコームを組み込んだハーモニカは、米国特許第５，３６７，９３７号に記載の、ベンディングハーモニカの音色および性能を改良する、ならびに標準的な１０セル、２０リード全音階ハーモニカ、標準的なトレモロハーモニカ、標準的なオクターブハーモニカおよび標準的なクロマチックハーモニカを改善する、ために使用することができる。さらに、本発明のハーモニカコームを組み込んだハーモニカは、次のさらなる利点を有する。
（ａ）リードバルブがリードの極めて近傍にないようにすることによって、標準的なクロマチックおよびダイアトニックハーモニカ内のリードバルブの全体的な効果を減少させる。
（ｂ）ドローバルブプラットホームとブローバルブプラットホームを単一のコームと結合することによってバルブセルを組み込んだハーモニカの製造コストを低下させる。
（ｃ）空気損失が生じやすい必要な構成部品の数を減少させることによって、バルブセルを組み込んだハーモニカ内での空気損失を減少させる。
（ｄ）リードプレートの内部にバルブセルを配置し、それによってリードと外気の間の直接の接触を提供することによってバルブセルを組み込んだハーモニカ内の倍音の共振を増加させる。
【図面の簡単な説明】
【００２６】
【図１】図２および図３の２部式ハーモニカコームの平面１−１によって示された断面の正面立面図である。リードプレートは図２および図３に含まれているが、図１からは除かれている。
【図２】図１の平面２−２によって示した断面図である。
【図３】図１の平面３−３によって示した断面図である。
【図４】図１の平面４−４によって示した、図１の２部式ハーモニカコームの上部断面の透視図である。
【図５】図１の平面５−５によって示した、図１の２部式ハーモニカコームの下部断面の透視図である。
【図１】
2004521386.tif 000003
【図２】
2004521386.tif 000004
【図３】
2004521386.tif 000005
【図４】
2004521386.tif 000006
【図５】
2004521386.tif 000007
【国際公開パンフレット】
2004521386.tif 000008
2004521386.tif 000009
2004521386.tif 000010
2004521386.tif 000011
2004521386.tif 000012
2004521386.tif 000013
2004521386.tif 000014
2004521386.tif 000015
2004521386.tif 000016
2004521386.tif 000017
2004521386.tif 000018
2004521386.tif 000019
2004521386.tif 000020
2004521386.tif 000021
2004521386.tif 000022
2004521386.tif 000023
2004521386.tif 000024
2004521386.tif 000025
2004521386.tif 000026
2004521386.tif 000027
2004521386.tif 000028
【手続補正書】
【提出日】平成15年10月1日(2003.10.1)
【手続補正１】
【補正対象書類名】特許請求の範囲
【補正対象項目名】全文
【補正方法】変更
【補正の内容】
【特許請求の範囲】
【請求項１】
前側面（６０）、頂部隣接側面（６１）、底部隣接側面（６２）および背面、および２つの端面（６４、６５）を備える細長いほぼ矩形の本体（１２）と、
それぞれがブローリード／ブローエネブラリードセル（４７）、バルブセル（４９）、およびドローリード／ドローエネブラリードセル（４８）から成る三部構成のボイスチャネルをその間に画定する複数のほぼ平行なセル壁（３７、６６、６７）と、
前記本体（１２）の前側面の中央の長手方向軸に沿って長手方向に離隔された複数のバルブセル（４９）であって、該バルブセル（４９）が前記セル壁（３７，６６，６７）によって分離され、前記バルブル（４９）が、前記本体（１２）の前側面のほうへ開くと共に前記本体（１２）の背面で閉じており、前記バルブセル（４９）が、前記ブローリード／ブローエネブラリードセル（４７）と前記ドローリード／ドローエネブラリードセル（４８）との間に配置され、前記バルブセル（４９）がアセンブリされたハーモニカのリードプレート（１８、２０）とは隣接していない複数のバルブセル（４９）と、
前記頂部隣接側面に沿って長手方向に離隔された、複数の別個のブローリード／ブローエネブラリードセル（４７）であって、該ブローリード／ブローエネブラリードセル（４７）が前記セル壁（３７、６６、６７）によって分離され、前記ブローリード／ブローエネブラリードセル（４７）が前記バルブセル（４９）と位置合わせされ、前記ブローリード／ブローエネブラリードセル（４７）の底部がブローバルブプラットホーム（３９）を備え、前記ブローバルブプラットホーム（３９）がまた、前記バルブセル（４９）の天井を備える、複数のブローリード／ブローエネブラリードセル（４７）と、
前記底部隣接側面に沿って長手方向に離隔された、複数の別個のドローリード／ドローエネブラリードセル（４８）であって、該ドローリード／ドローエネブラリードセル（４８）が前記セル壁（３７、６６、６７）によって分離され、前記ドローリード／ドローエネブラリードセル（４８）が前記バルブセル（４９）と整列され、前記ドローリード／ドローエネブラリードセル（４８）の頂部が、ドローバルブプラットホーム（４０）を備え、該ドローバルブプラットホーム（４０）が、前記バルブセル（４９）の床部をまた備える、複数のドローリード／ドローエネブラリードセル（４８）と、
前記バルブセル（４９）のそれぞれの前記天井に形成され、前記バルブセル（４９）のそれぞれと前記ブローリード／ブローエネブラリードセル（４７）のそれぞれとの間に開いた通路を形成している、ブローリード／ブローエネブラリードバルブスロット（２３’）と、
前記バルブセル（４９）のそれぞれの前記床に形成され、前記バルブセル（４９）のそれぞれと前記ドローリード／ドローエネブラリードセル（４８）のそれぞれとの間に開いた通路を形成しているドローリード／ドローエネブラリードバルブスロット（２５’）と、
前記ブローリード／ブローエネブラリードセル（４７）のそれぞれの中に配置され、前記ブローリード／ブローエネブラリードバルブスロット（２３’）を覆って位置調整されたブローリード／ブローエネブラリードバルブ（１９’）であって、前記ブローリード／ブローエネブラリードバルブ（４７）が、前記ブローバルブプラットホーム（３９）の一方の端部に固定され、前記ブローリード／ブローエネブラリードバルブ（１９’）がその反対側の端部で移動が自由である、ブローリード／ブローエネブラリードバルブ（１９’）と、
前記バルブセル（４９）のそれぞれの中に配置されると共に、ドローリード／ドローエネブラリードバルブスロット（２５’）を覆って位置調整され、前記バルブセル（４９）の前記床の一方の端部に固定され、前記ドローリード／ドローエネブラリードバルブ（２１’）がその反対側の端部で移動が自由である、ドローリード／ドローエネブラリードバルブ（２１’）とを備えることを特徴とする、ハーモニカコーム。
【請求項２】
前記細長い本体（１２）が、通常木で製造されている、またはプラスチックで成形されていることを特徴とする、請求項１に記載のハーモニカコーム。
【請求項３】
前記本体（１２）が、半体（１０．１１）を気密嵌合のためにねじで互いに固定することができるような、特定の弾性を有するプラスチックで製造された頂部半体（１０）および底部半体（１１）を有することを特徴とする、請求項２に記載のハーモニカコーム。
【請求項４】
前記本体（１２）が、接着剤で互いに固定された頂部半体（１０）と底部半体（１１）とを有することを特徴とする、請求項２に記載のハーモニカコーム。
【請求項５】
前記ブローリード／ブローエネブラリードバルブ（１９’）および前記ドローリード／ドローエネブラリードバルブ（２１’）が、通常ＰＶＣなどのプラスチックで製造されていることを特徴とする、請求項１乃至４のうちいずれか一項に記載のハーモニカコーム。
【請求項６】
前記前側面（６０）の高さが、前記背面の高さよりも低く、前記前側面（６０）を演奏者の口により快適に嵌合することを可能にすることを特徴とする、請求項１乃至５のうちいずれか一項に記載のハーモニカコーム。
【請求項７】
前記ブローリード／ブローエネブラリードセル（４７）の開端部を閉じる、前記頂部隣接側面（６１）に固定されたブロープレートと、前記ドローリード／ドローエネブラリードセル（４８）の開端部を閉じる、前記底部隣接側面（６２）に固定されたドロープレートと、前記ブロープレートに固定された頂部カバーと、前記ドロープレートに固定された底部カバーと、前記ハーモニカコームの前側面（６０）に固定されたマウスピースとを備える、請求項１のハーモニカコームを使用して作成されたことを特徴とする、ハーモニカ。
【請求項８】
前記ブロープレートが、ブローリード（１８）、ブローリード（１８）とブローエネブラリード、または２つのブローリード（１８）を含むことを特徴とする、請求項７に記載のハーモニカ。
【請求項９】
前記ドロープレートが、ドローリード（２０）、ドローリード（２０）とドローエネブラリード、または２つのドローリード（２０）を含むことを特徴とする請求項７または８に記載のハーモニカ。
【請求項１０】
バルブセル（４９）の頂部半体を形成する前記頂部半体（１０）の底部側面上の複数の上側チャネルと、前記頂部半体（１０）の頂部側面（６１）上の複数のドローリード／ドローエネブラリードセル（４７）とを備えるコームの頂部半体（１０）を成形するステップであって、前記上側チャネルが、前記頂部半体（１０）の前部側面（６０）のほうへ開いており、前記頂部半体（１０）の背面（６３）で閉じており、前記上側チャネルおよび前記セル（４７、４９）が、前記頂部半体（１０）に沿って長手方向に離隔され、前記上側チャネルのそれぞれが前記セル（４７、４９）のうちの１つと整列され、前記セルの底部および前記上側チャネルの頂部が、したがって共通の壁面を共有し、前記共通の壁面が、その中に形成された開口またはブローリード／ブローエネブラリードスロット（２３’）を備えるステップと、
逆止め弁またはブローリード／ブローエネブラリードバルブ（１９’）を、一方の端部で前記共通の壁面内の前記ブローリード／ブローエネブラリードスロット（２３’）を覆って位置調整された前記セル（４７）のそれぞれの前記共通の壁面に固定するステップと、
バルブセル（４９）の頂部半体を形成する前記底部半体（１１）の頂部側面上の複数の下側チャネルと、前記底部半体（１１）の底部側面上の複数のドローリード／ドローエネブラリードセル（４８）とを備えるコームの底部半体（１１）を成形するステップであって、前記下側チャネルが、前記底部半体（１１）の前部側面（６０）のほうへ開いており、前記底部半体の背面（６３）で閉じており、前記下側チャネルおよび前記セルが、前記底部半体（１１）に沿って長手方向に離隔され、前記下側チャネルのそれぞれが、前記セルの一方と整列しており、したがって、前記セルの頂部および前記下側チャネルの底部が共通の壁面を共有し、前記共通の壁面が、その中に形成された開口またはドローリード／ドローエネブラリードスロット（２５’）を備えるステップと、
逆止め弁またはドローリード／ドローエネブラリードバルブ（２１’）を一方の端部で前記下側チャネルのそれぞれの中の前記共通の壁面に固定し、前記下側チャネルのそれぞれの中の前記ドローリード／ドローエネブラリードバルブ（２１’）が、前記下側チャネル内の前記ドローリード／ドローエネブラリードスロット（２５’）内に配置されるステップと、
前記頂部半体（１０）および前記底部半体（１１）をともに前記頂部半体（１０）の前記上側チャネルおよび前記底部半体（１１）の前記下側チャネルと整列させて気密な接続で固定するステップとを含むことを特徴とするハーモニカコームを製造する方法。
【手続補正２】
【補正対象書類名】図面
【補正対象項目名】全図
【補正方法】変更
【補正の内容】
【図１】
2004521386.tif 000029
【図２】
2004521386.tif 000030
【図３】
2004521386.tif 000031
【図４】
2004521386.tif 000032
【図５】
2004521386.tif 000033
【手続補正書】
【提出日】平成15年10月1日(2003.10.1)
【手続補正１】
【補正対象書類名】特許請求の範囲
【補正対象項目名】全文
【補正方法】変更
【補正の内容】
【特許請求の範囲】
【請求項１】
前側面（６０）、頂部隣接側面（６１）、底部隣接側面（６２）および背面、および２つの端面（６４、６５）を備える細長いほぼ矩形の本体（１２）と、
それぞれがブローリード／ブローエネブラリードセル（４７）、バルブセル（４９）、およびドローリード／ドローエネブラリードセル（４８）から成る三部構成のボイスチャネルをその間に画定する複数のほぼ平行なセル壁（３７、６６、６７）と、
前記本体（１２）の前側面の中央の長手方向軸に沿って長手方向に離隔された複数のバルブセル（４９）であって、該バルブセル（４９）が前記セル壁（３７，６６，６７）によって分離され、前記バルブル（４９）が、前記本体（１２）の前側面のほうへ開くと共に前記本体（１２）の背面で閉じており、前記バルブセル（４９）が、前記ブローリード／ブローエネブラリードセル（４７）と前記ドローリード／ドローエネブラリードセル（４８）との間に配置され、前記バルブセル（４９）がアセンブリされたハーモニカのリードプレート（１８、２０）とは隣接していない複数のバルブセル（４９）と、
前記頂部隣接側面に沿って長手方向に離隔された、複数の別個のブローリード／ブローエネブラリードセル（４７）であって、該ブローリード／ブローエネブラリードセル（４７）が前記セル壁（３７、６６、６７）によって分離され、前記ブローリード／ブローエネブラリードセル（４７）が前記バルブセル（４９）と位置合わせされ、前記ブローリード／ブローエネブラリードセル（４７）の底部がブローバルブプラットホーム（３９）を備え、前記ブローバルブプラットホーム（３９）がまた、前記バルブセル（４９）の天井を備える、複数のブローリード／ブローエネブラリードセル（４７）と、
前記底部隣接側面に沿って長手方向に離隔された、複数の別個のドローリード／ドローエネブラリードセル（４８）であって、該ドローリード／ドローエネブラリードセル（４８）が前記セル壁（３７、６６、６７）によって分離され、前記ドローリード／ドローエネブラリードセル（４８）が前記バルブセル（４９）と整列され、前記ドローリード／ドローエネブラリードセル（４８）の頂部が、ドローバルブプラットホーム（４０）を備え、該ドローバルブプラットホーム（４０）が、前記バルブセル（４９）の床部をまた備える、複数のドローリード／ドローエネブラリードセル（４８）と、
前記バルブセル（４９）のそれぞれの前記天井に形成され、前記バルブセル（４９）のそれぞれと前記ブローリード／ブローエネブラリードセル（４７）のそれぞれとの間に開いた通路を形成している、ブローリード／ブローエネブラリードバルブスロット（２３’）と、
前記バルブセル（４９）のそれぞれの前記床に形成され、前記バルブセル（４９）のそれぞれと前記ドローリード／ドローエネブラリードセル（４８）のそれぞれとの間に開いた通路を形成しているドローリード／ドローエネブラリードバルブスロット（２５’）と、
前記ブローリード／ブローエネブラリードセル（４７）のそれぞれの中に配置され、前記ブローリード／ブローエネブラリードバルブスロット（２３’）を覆って位置調整されたブローリード／ブローエネブラリードバルブ（１９’）であって、前記ブローリード／ブローエネブラリードバルブ（４７）が、前記ブローバルブプラットホーム（３９）の一方の端部に固定され、前記ブローリード／ブローエネブラリードバルブ（１９’）がその反対側の端部で移動が自由である、ブローリード／ブローエネブラリードバルブ（１９’）と、
前記バルブセル（４９）のそれぞれの中に配置されると共に、ドローリード／ドローエネブラリードバルブスロット（２５’）を覆って位置調整され、前記バルブセル（４９）の前記床の一方の端部に固定され、前記ドローリード／ドローエネブラリードバルブ（２１’）がその反対側の端部で移動が自由である、ドローリード／ドローエネブラリードバルブ（２１’）とを備えることを特徴とする、ハーモニカコーム。
【請求項２】
前記細長い本体（１２）が、通常木で製造されている、またはプラスチックで成形されていることを特徴とする、請求項１に記載のハーモニカコーム。
【請求項３】
前記本体（１２）が、半体（１０，１１）を気密嵌合のためにねじで互いに固定することができるような、特定の弾性を有するプラスチックで製造された頂部半体（１０）および底部半体（１１）を有することを特徴とする、請求項２に記載のハーモニカコーム。
【請求項４】
前記本体（１２）が、接着剤で互いに固定された頂部半体（１０）と底部半体（１１）とを有することを特徴とする、請求項２に記載のハーモニカコーム。
【請求項５】
前記ブローリード／ブローエネブラリードバルブ（１９’）および前記ドローリード／ドローエネブラリードバルブ（２１’）が、通常ＰＶＣなどのプラスチックで製造されていることを特徴とする、請求項１乃至４のうちいずれか一項に記載のハーモニカコーム。
【請求項６】
前記前側面（６０）の高さが、前記背面の高さよりも低く、前記前側面（６０）を演奏者の口により快適に嵌合することを可能にすることを特徴とする、請求項１乃至５のうちいずれか一項に記載のハーモニカコーム。
【請求項７】
前記ブローリード／ブローエネブラリードセル（４７）の開端部を閉じる、前記頂部隣接側面（６１）に固定されたブロープレートと、前記ドローリード／ドローエネブラリードセル（４８）の開端部を閉じる、前記底部隣接側面（６２）に固定されたドロープレートと、前記ブロープレートに固定された頂部カバーと、前記ドロープレートに固定された底部カバーと、前記ハーモニカコームの前側面（６０）に固定されたマウスピースとを備える、請求項１のハーモニカコームを使用して作成されたことを特徴とする、ハーモニカ。
【請求項８】
前記ブロープレートが、ブローリード（１８）、ブローリード（１８）とブローエネブラリード、または２つのブローリード（１８）を含むことを特徴とする、請求項７に記載のハーモニカ。
【請求項９】
前記ドロープレートが、ドローリード（２０）、ドローリード（２０）とドローエネブラリード、または２つのドローリード（２０）を含むことを特徴とする請求項７または８に記載のハーモニカ。
【請求項１０】
バルブセル（４９）の頂部半体を形成する前記頂部半体（１０）の底部側面上の複数の上側チャネルと、前記頂部半体（１０）の頂部側面（６１）上の複数のドローリード／ドローエネブラリードセル（４７）とを備えるコームの頂部半体（１０）を成形するステップであって、前記上側チャネルが、前記頂部半体（１０）の前部側面（６０）のほうへ開いており、前記頂部半体（１０）の背面（６３）で閉じており、前記上側チャネルおよび前記セル（４７、４９）が、前記頂部半体（１０）に沿って長手方向に離隔され、前記上側チャネルのそれぞれが前記セル（４７、４９）のうちの１つと整列され、前記セルの底部および前記上側チャネルの頂部が、したがって共通の壁面を共有し、前記共通の壁面が、その中に形成された開口またはブローリード／ブローエネブラリードスロット（２３’）を備えるステップと、
逆止め弁またはブローリード／ブローエネブラリードバルブ（１９’）を、一方の端部で前記共通の壁面内の前記ブローリード／ブローエネブラリードスロット（２３’）を覆って位置調整された前記セル（４７）のそれぞれの前記共通の壁面に固定するステップと、
バルブセル（４９）の頂部半体を形成する前記底部半体（１１）の頂部側面上の複数の下側チャネルと、前記底部半体（１１）の底部側面上の複数のドローリード／ドローエネブラリードセル（４８）とを備えるコームの底部半体（１１）を成形するステップであって、前記下側チャネルが、前記底部半体（１１）の前部側面（６０）のほうへ開いており、前記底部半体の背面（６３）で閉じており、前記下側チャネルおよび前記セルが、前記底部半体（１１）に沿って長手方向に離隔され、前記下側チャネルのそれぞれが、前記セルの一方と整列しており、したがって、前記セルの頂部および前記下側チャネルの底部が共通の壁面を共有し、前記共通の壁面が、その中に形成された開口またはドローリード／ドローエネブラリードスロット（２５’）を備えるステップと、
逆止め弁またはドローリード／ドローエネブラリードバルブ（２１’）を一方の端部で前記下側チャネルのそれぞれの中の前記共通の壁面に固定し、前記下側チャネルのそれぞれの中の前記ドローリード／ドローエネブラリードバルブ（２１’）が、前記下側チャネル内の前記ドローリード／ドローエネブラリードスロット（２５’）内に配置されるステップと、
前記頂部半体（１０）および前記底部半体（１１）をともに前記頂部半体（１０）の前記上側チャネルおよび前記底部半体（１１）の前記下側チャネルと整列させて気密な接続で固定するステップとを含むことを特徴とする、請求項１に記載のハーモニカコームを製造する方法。
【国際調査報告】
2004521386.tif 000034
2004521386.tif 000035